(57)【特許請求の範囲】
【請求項１】
被検眼を照明する照明手段と、該照明手段により照明された被検眼を撮影する撮影手段と、被検眼の撮影位置を選択する位置選択手段と、該位置選択手段で選択された被検眼の撮影位置と前記撮影手段で撮影された被検眼像を記録する記録手段と、該記録手段に記録された被検眼像を撮影毎に被検眼の撮影位置に基づいて配列した合成画像を作成する画像制御手段と、前記撮影手段の撮影可能な範囲を示す指標と、該指標を被検眼の撮影位置に基づいて前記合成画像に合成する指標制御手段と、前記合成画像と前記指標を表示する画像表示手段とを設けたことを特徴とする眼科撮影装置。
【請求項２】
前記画像表示手段は、前記合成画像を前記撮影手段で撮像されるアライメント画像と切換えて表示する請求項１に記載の眼科撮影装置。
【請求項３】
前記位置選択手段は呈示位置が可変な固視標とした請求項１に記載の眼科撮影装置。
【請求項４】
前記位置選択手段は前記撮影手段を被検眼を中心に旋回動可能とした請求項１に記載の眼科撮影装置。
【請求項５】
前記撮影手段は電子撮像素子とした請求項１に記載の眼科撮影装置。
【請求項６】
合成画像と前記アライメント画像の切換えは、架台の移動に連動するようにした請求項２に記載の眼科撮影装置。
【発明の詳細な説明】
【０００１】
【発明の属する技術分野】
本発明は、眼科医院や集団検診等で使用される眼科撮影装置に関するものである。
【０００２】
【従来の技術】
従来から眼底カメラによる眼底検査では、被検眼の後極部を中心とした撮影を行い検査するのが一般的である。しかし、より広い範囲の検査をしたい場合には、検者が周辺部を撮影できるように眼底カメラを調節したり、固視標を用いて被検眼を誘導するなどして周辺部を複数個所に渡って連続撮影し、得られた画像を貼り合わせて合成し、パノラマ画像を作成してこれを用いて検査するようにしている。
【０００３】
【発明が解決しようとする課題】
しかしながら、上述の従来の検査方法においては、得られた画像を貼り合わせ合成する作業が煩わしく、更に合成する位置を間違う可能性があるなど、眼底を広い範囲で検査したい場合の問題になっている。
【０００４】
本発明の目的は、上述の問題点を解消し、簡便な操作で正確に位置決めしたパノラマ画像を作成でき、これによって広い範囲で眼底を検査することができる眼科撮影装置を提供することにある。
【０００５】
【課題を解決するための手段】
上記目的を達成するための本発明に係る眼科撮影装置は、被検眼を照明する照明手段と、該照明手段により照明された被検眼を撮影する撮影手段と、被検眼の撮影位置を選択する位置選択手段と、該位置選択手段で選択された被検眼の撮影位置と前記撮影手段で撮影された被検眼像を記録する記録手段と、該記録手段に記録された被検眼像を撮影毎に被検眼の撮影位置に基づいて配列した合成画像を作成する画像制御手段と、前記撮影手段の撮影可能な範囲を示す指標と、該指標を被検眼の撮影位置に基づいて前記合成画像に合成する指標制御手段と、前記合成画像と前記指標を表示する画像表示手段とを設けたことを特徴とする。
【０００８】
【発明の実施の形態】
本発明を図示の実施例に基づいて詳細に説明する。
図１は第１の実施例の無散瞳眼底カメラの構成図である。被検眼Ｅの前方の光路Ｏ１上には、対物レンズ１、中心開口を有する孔あきミラー２、光路Ｏ１に沿って可動なフォーカシングレンズ３、撮影レンズ４、撮影時に下方に降下するハーフミラー５、ＣＣＤ６が順次に配設され、観察撮影光学系が形成されている。ここで、ハーフミラー５は赤外光を１００％透過し、可視光を５０％反射、５０％透過する特性を有している。
【０００９】
孔あきミラー２の入射方向の光路Ｏ２上には、孔あきミラー２側から角膜バッフル７、リレーレンズ８ａ、８ｂ、水晶体バッフル９、円環状開口を有するリングスリット１０、コンデンサレンズ１１、キセノン管等から成る撮影光源１２、コンデンサレンズ１３、赤外光が透過する赤外フィルタ１４、ハロゲンランプ等から成る照明光源１５、凹面反射鏡１６が順次に設けられ、照明光学系が形成されている。
【００１０】
ハーフミラー５の入射方向の光路Ｏ３上には、フィールドレンズ１７、レンズ１８、被検眼Ｅを所望の観察撮影部位へと誘導するための可視光源から成る固視灯１９が設けられ、固視灯投影系が形成されている。
【００１１】
更に、電気回路として機能制御部２０が設けられ、この機能制御部２０には図示しないジョイステックに設けられ撮影時に操作される撮影スイッチ２１の出力が接続され、機能制御部２０の出力は撮影光源１２の光量を制御する光量制御部２３、固視灯１９の投影位置を制御する固視灯制御部２４、ＣＣＤ６の出力を処理する画像制御部２５に接続されている。
【００１２】
固視灯制御部２４は図２に示すように構成され、固視灯１９とレバー部２６が支点Ｃを中心に回転運動自在に支えられており、検者は固視灯制御部２４を介してレバー部２６を操作することにより、固視灯１９の呈示位置を変化させて、被検眼Ｅの視線を所望の観察撮影部位へと導くことができるようになっている。
【００１３】
図３は画像制御系の構成図であり、画像制御部２５にはＣＣＤ６、機能制御部２０の出力が接続され、更にテレビモニタ２７、フレームメモリ２８、キーボード２９、記録装置３０、マウス３１が接続されている。
【００１４】
照明光源１５を点灯すると、照明光源１５及び凹面反射鏡１６で反射された光束は、赤外フィルタ１４によって赤外光束とされ、光路Ｏ２を経て孔あきミラー２によって反射され、被検眼Ｅの眼底Ｅｒを照明する。眼底Ｅｒからの反射光束は光路Ｏ１を経てハーフミラー５を透過し、ＣＣＤ６の撮像面に結像する。
【００１５】
また、機能制御部２０、固視灯制御部２４によって固視灯１９が指定位置で点灯され、フィールドレンズ１７上で一旦結像された後に、ハーフミラー５で一部が反射され、光路Ｏ１を経て被検眼Ｅの眼底Ｅｒに投影される。ここで、固視灯１９は被検眼Ｅに視認され、注視のよりどころとなっており、検者は固視灯制御部２４により固視灯１９の投影位置を変化させて被検眼Ｅを誘導し、所望の観察撮影部位を選択する。眼底Ｅｒで反射した固視灯１９による光束は、光路Ｏ１を経て一部がハーフミラー５を透過し、ＣＣＤ６の撮像面に結像される。
【００１６】
ＣＣＤ６の出力は画像制御部２５に伝えられ、画像制御部２５は赤外光で照明した被検眼Ｅの眼底像と固視灯１９の像をテレビモニタ２７上に表示する。このとき、画像制御部２５はＣＣＤ６の撮像面に結像されている固視灯１９の位置を検出している。
【００１７】
図４はテレビモニタ２７上に表示された被検眼Ｅの眼底像Ｅｒ’  と固視灯１９の像１９ａを示している。検者はテレビモニタ２７上に表示された眼底像を観察し、被検眼Ｅと眼底カメラの光軸を合わせる所謂アライメント及び作動距離合わせ等の眼底撮影のための準備を行う。撮影準備が整うと、検者は撮影スイッチ２１を操作する。撮影スイッチ２１の出力は機能制御部２０に伝えられ、機能制御部２０はミラー駆動部２２によってハーフミラー５を破線で示す位置に退避させ、光量制御部２３によって撮影光源１２を発光すると共に、撮影状態になったことを画像制御部２５に伝える。画像制御部２５は機能制御部２０からの信号を受け静止画像を取り込む準備をする。
【００１８】
撮影光源１２の光束は、光路Ｏ２を経て孔あきミラー２によって反射され、被検眼Ｅの眼底Ｅｒに到達する。眼底Ｅｒからの反射光は光路Ｏ１を経て、ＣＣＤ６の撮像面上に被検眼Ｅの眼底像が結像される。
【００１９】
画像制御部２５はＣＣＤ６によって撮像された被検眼Ｅの眼底像をフレームメモリ２８に記憶し、固視灯１９の位置データと、キーボード２９によって入力された日付や被検者のデータを付加して、記録装置３０に記録する。また、画像制御部２５はテレビモニタ２７上に座標を設定し、固視灯１９の位置データに対応した座標に眼底像Ｅｒ’  を表示する。即ち、固視灯１９の呈示位置が変われば、それに対応してテレビモニタ２７上で眼底像Ｅｒ’  の表示位置が変化する。
【００２０】
このような手順により、所望の観察撮影部位を順次に撮影してゆく。このとき、図５に示すように画像制御部２５はテレビモニタ２７上に後から撮影された画像を前に撮影した画像と重複して表示するようにしているので、未撮影部分を確認でき、撮影部位の撮り忘れや重複を防ぐことができる。更に、テレビモニタ２７上には、撮影可能範囲を示す撮影エリア選択指標Ａが表示される。この撮影エリア選択指標Ａは固視灯１９の操作に連動して表示位置が変化するものであり、検者は撮影エリア選択指標Ａを所望の未撮影部分へ調節することにより、被検眼Ｅを所望の位置に誘導できる。
【００２１】
また、この状態から撮影スイッチ２１を操作すると、アライメントのために画像制御部２６が、テレビモニタ２７上に図４に示すような観察画像を表示するように制御している。本実施例では、撮影スイッチ２１を表示画像切換えのスイッチとして兼用しているが、専用のスイッチを設けてもよいし、アライメントのためのステージの移動に連動するようにすることもできる。また、アライメント用モニタと記録画像表示用モニタを別に設けるようにしてもよい。
【００２２】
全ての撮影が終了すると、テレビモニタ２７上には図６に示すような眼底像Ｅｒ’  のパノラマ画像が得られ、検者はこのパノラマ画像を用いて眼底Ｅｒの広い範囲を検査することができる。また、検査で眼底Ｅｒの疾患を見付けた場合に、テレビモニタ２７上で疾患のある部分の画像をキーボード２９やマウス３１で選択すると、画像制御部２５により選択された部分の画像がテレビモニタ２７の画面全体に表示され、検者は疾患部分を高倍率で精密に検査できる。
【００２３】
本実施例においては、図２で説明したような固視灯制御部２４によって固視灯を呈示し、ＣＣＤ６と画像制御部２５によって固視灯の位置検出を行ったが、この固視灯制御部２４に図７に示すように固視灯１９の移動量を検出する位置検出センサ３２を付加して、固視灯１９の投影位置を知るようにしてもよい。
【００２４】
また、固視灯制御部２４として図８、図９に示すような固視灯３３と液晶シャッタ３４を設けて、機能制御部２０によって液晶シャッタ３４の開口部Ａと多数個の遮光部Ｂの位置を制御し、固視灯１９の呈示と位置検出を行うようにすることもできる。
【００２５】
また、固視灯制御部２４として図１０、図１１に示すような複数のＬＥＤから成る固視灯３５を設けて、機能制御部２０によって固視用ＬＥＤ３５ａ、３５ｂ、３５ｃ、・・・の点灯部と消灯部を制御し、固視灯３５の呈示と位置検出を行うようにしてもよい。
【００２６】
更に、上述の実施例では内部固視灯を利用するものとしたが、固視灯制御部２４の代りに、図１２、図１３に示すように対物レンズ１の近傍に眼底カメラの光軸を中心としてリング状に複数個のＬＥＤを配置した固視灯３６を設けて、機能制御部２０によって固視用ＬＥＤ３６ａ、３６ｂ、３６ｃ、・・・の点灯部と消灯部を制御し、固視灯の呈示と位置検出を行うようにすれば、外部固視灯によっても撮影を実施することができる。
【００２７】
【発明の効果】
以上説明したように本発明の眼科撮影装置は、煩わしい作業を伴わず、しかも正確に位置が決められたパノラマ画像を作成することができ、被検眼を広い範囲で検査することが容易になる。また、画像表示手段には撮影された画像を逐次に重複して表示するようにしているので、検者は容易に未撮影部分を確認することができ、パノラマ画像作成に必要な画像の撮り忘れを防ぐことができる。更に、被検者の固視不良や失敗撮影等による不良画像についても確認することができるので、直ちに取り直しができるなど作業性が向上する。
【図面の簡単な説明】
【図１】実施例の眼底カメラの構成図である。
【図２】固視灯制御部の構成図である。
【図３】画像制御系の構成図である。
【図４】テレビモニタ上の正面図である。
【図５】パノラマ画像作成の説明図である。
【図６】パノラマ画像と映出したテレビモニタの正面図である。
【図７】他の実施例の固視灯制御部の構成図である。
【図８】固視灯の側面図である。
【図９】固視灯の正面図である。
【図１０】固視灯の側面図である。
【図１１】固視灯の正面図である。
【図１２】固視灯の側面図である。
【図１３】固視灯の正面図である。
【符号の説明】
１  対物レンズ
６  ＣＣＤ
１２  撮影光源
１４  赤外フィルタ
１５  照明光源
１９、３３、３５、３６  固視灯
２０  機能制御部
２１  撮影スイッチ
２３  光量制御部
２４  固視灯制御部
２５  画像制御部
２７  テレビモニタ
２８  フレームメモリ
３０  記録装置
３２  位置検出センサ
３７  撮影エリア選択指標
【図１】
0003576671.tif 000002
【図２】
0003576671.tif 000003
【図３】
0003576671.tif 000004
【図４】
0003576671.tif 000005
【図５】
0003576671.tif 000006
【図６】
0003576671.tif 000007
【図７】
0003576671.tif 000008
【図８】
0003576671.tif 000009
【図９】
0003576671.tif 000010
【図１０】
0003576671.tif 000011
【図１１】
0003576671.tif 000012
【図１２】
0003576671.tif 000013
【図１３】
0003576671.tif 000014